【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
圧電基板の一方の主面から、前記一方の主面とは反対側の他方の主面に向けて凹陥している第１の凹陥部と、
前記第１の凹陥部の底部に配置されている振動部と、
前記振動部の外周縁と一体的に接続され前記振動部の厚みより厚い厚肉部と、を備え、
前記厚肉部の少なくとも一方において、前記厚肉部に接続され、一点で支持されているマウント部を有し、
前記マウント部は、前記他方の主面側に設けられていることを特徴とする圧電振動片。
【請求項２】
前記圧電基板の他方の主面から、前記第１の凹陥部の底部に向けて凹陥している第２の凹陥部を備えていることを特徴とする請求項１に記載の圧電振動片。
【請求項３】
前記厚肉部と前記マウント部との間には緩衝部が配置され、
前記緩衝部は、
前記厚肉部の厚み方向に貫通しているスリット、
または、前記他方の主面から前記一方の主面に向かう溝を有することを特徴とする請求項１または２に記載の圧電振動片。
【請求項４】
前記薄肉部は、前記厚肉部の厚み方向で、前記圧電基板の両主面のうちいずれか一方の主面に偏在して配置されたことを特徴とする請求項１乃至３のいずれか１項に記載の圧電振動片。
【請求項５】
前記圧電振動片は、
水晶の結晶軸である、電気軸としてのＸ軸と、機械軸としてのＹ軸と、光学軸としてのＺ軸と、からなる直交座標系の前記Ｘ軸を回転軸として、前記Ｚ軸を前記Ｙ軸の−Ｙ方向へ回転させた軸をＺ′軸とし、前記Ｙ軸を前記Ｚ軸の＋Ｚ方向へ回転させた軸をＹ′軸とし、前記Ｘ軸と前記Ｚ′軸に平行な面で構成され、前記Ｙ′軸に平行な方向を厚みとするＡＴカット水晶により形成され、
前記＋Ｚ′軸をＹ′軸回りに＋Ｘ軸方向へ回転させることを正の回転角として、前記Ｚ′軸を前記Ｙ′軸回りに−１２０°から＋６０°の範囲で回転させて得られるＺ′′軸と、前記Ｘ軸を前記Ｙ′軸回りに前記Ｚ′軸とともに回転させて得られるＸ′軸と、にそれぞれ平行な縁辺を有し、
前記マウント部の幅方向は、前記Ｘ′軸に平行な縁辺の方向であり、
前記厚肉部、前記マウント部の並ぶ方向は、前記Ｚ′′軸に平行な縁辺の方向であることを特徴とする請求項１乃至４のいずれか１項に記載の圧電振動片。
【請求項６】
前記厚肉部の前記マウント部とともに前記振動部を挟み込む側は切り欠かれ、前記薄肉部の端部が露出していることを特徴とする請求項１乃至５のいずれか１項に記載の圧電振動片。
【請求項７】
平面視において前記マウント部の少なくとも一部が重なる前記一方の主面には、前記マウント部の厚み方向に切り欠かれている段差部が設けられていることを特徴とする請求項１乃至６のいずれか１項に記載の圧電振動片。
【請求項８】
前記振動部に設けられている励振電極と、
前記励振電極から前記マウント部に引き出されている引出電極と、を備えていることを特徴とする請求項１乃至７のいずれか１項に記載の圧電振動片。
【請求項９】
前記マウント部に設けられている前記引出電極には、少なくとも一つの凹部が設けられていることを特徴とする請求項１乃至８のいずれか１項に記載の圧電振動片。
【請求項１０】
請求項１乃至８のいずれか１項に記載の圧電振動片と、基板と、を備え、
前記マウント部は、基板に支持されていることを特徴とする圧電振動子。
【請求項１１】
請求項１乃至９のいずれか１項に記載の圧電振動片と、基板と、を備え、
前記マウント部の前記他方の主面側に設けられている引出電極と前記基板とは、導電性接着剤により接続され、前記マウント部の反対面側の面に設けられている引出電極と前記基板とはワイヤーを介して接続されていることを特徴とする圧電振動子。
【請求項１２】
請求項１乃至９のいずれか１項に記載の圧電振動片と、基板と、を備え、
前記マウント部の前記他方の主面側に設けられている引出電極と前記基板とは、導電性接着剤により接続され、前記マウント部の反対面側の面に設けられている引出電極と前記基板とはワイヤーを介して接続され、少なくとも一以上の電子部品を備えてなることを特徴とする電子デバイス。
【請求項１３】
請求項１１に記載の電子デバイスにおいて、前記電子部品が、サーミスタ、コンデンサ、リアクタンス素子、半導体素子のうちのいずれかであることを特徴とする電子デバイス。
【手続補正２】
【補正対象書類名】明細書
【補正対象項目名】００１７
【補正方法】変更
【補正の内容】
【００１７】
本発明は、上述の課題の少なくとも一部を解決するためになされたものであり、以下の形態、または適用例として実現することが可能である。
第１の形態に係る圧電振動片は、圧電基板の一方の主面から、前記一方の主面とは反対側の他方の主面に向けて凹陥している第１の凹陥部と、前記第１の凹陥部の底部に配置されている振動部と、前記振動部の外周縁と一体的に接続され前記振動部の厚みより厚い厚肉部と、を備え、前記厚肉部の少なくとも一方において、前記厚肉部に接続され、一点で支持されているマウント部を有し、前記マウント部は、前記他方の主面側に設けられていることを特徴とする。
第２の形態に係る圧電振動片は、第１の形態に係る圧電振動片において、前記圧電基板の他方の主面から、前記第１の凹陥部の底部に向けて凹陥している第２の凹陥部を備えていることを特徴とする。
第３の形態に係る圧電振動片は、第１の形態または第２の形態に係る圧電振動片において、前記厚肉部と前記マウント部との間には緩衝部が配置され、前記緩衝部は、前記厚肉部の厚み方向に貫通しているスリット、または、前記他方の主面から前記一方の主面に向かう溝を有することを特徴とする。
第４の形態に係る圧電振動片は、第１の形態乃至第３の形態のいずれか１の形態に係る圧電振動片において、前記薄肉部は、前記厚肉部の厚み方向で、前記圧電基板の両主面のうちいずれか一方の主面に偏在して配置されたことを特徴とする。
第５の形態に係る圧電振動片は、第１の形態乃至第４の形態のいずれか１の形態に係る圧電振動片において、前記圧電振動片は、水晶の結晶軸である、電気軸としてのＸ軸と、機械軸としてのＹ軸と、光学軸としてのＺ軸と、からなる直交座標系の前記Ｘ軸を回転軸として、前記Ｚ軸を前記Ｙ軸の−Ｙ方向へ回転させた軸をＺ′軸とし、前記Ｙ軸を前記Ｚ軸の＋Ｚ方向へ回転させた軸をＹ′軸とし、前記Ｘ軸と前記Ｚ′軸に平行な面で構成され、前記Ｙ′軸に平行な方向を厚みとするＡＴカット水晶により形成され、前記＋Ｚ′軸をＹ′軸回りに＋Ｘ軸方向へ回転させることを正の回転角として、前記Ｚ′軸を前記Ｙ′軸回りに−１２０°から＋６０°の範囲で回転させて得られるＺ′′軸と、前記Ｘ軸を前記Ｙ′軸回りに前記Ｚ′軸とともに回転させて得られるＸ′軸と、にそれぞれ平行な縁辺を有し、前記マウント部の幅方向は、前記Ｘ′軸に平行な縁辺の方向であり、前記厚肉部、前記マウント部の並ぶ方向は、前記Ｚ′′軸に平行な縁辺の方向であることを特徴とする。
第６の形態に係る圧電振動片は、第１の形態乃至第５の形態のいずれか１の形態に係る圧電振動片において、前記厚肉部の前記マウント部とともに前記振動部を挟み込む側は切り欠かれ、前記薄肉部の端部が露出していることを特徴とする。
第７の形態に係る圧電振動片は、第１の形態乃至第６の形態のいずれか１の形態に係る圧電振動片において、平面視において前記マウント部の少なくとも一部が重なる前記一方の主面には、前記マウント部の厚み方向に切り欠かれている段差部が設けられていることを特徴とする。
第８の形態に係る圧電振動片は、第１の形態乃至第７の形態のいずれか１の形態に係る圧電振動片において、前記振動部に設けられている励振電極と、前記励振電極から前記マウント部に引き出されている引出電極と、を備えていることを特徴とする。
第９の形態に係る圧電振動片は、第１の形態乃至第８の形態のいずれか１の形態に係る圧電振動片において、前記マウント部に設けられている前記引出電極には、少なくとも一つの凹部が設けられていることを特徴とする。
第１の形態に係る圧電振動子は、第１の形態乃至第８の形態のいずれか１の形態に係る圧電振動片と、基板と、を備え、前記マウント部は、基板に支持されていることを特徴とする。
第２の形態に係る圧電振動子は、第１の形態乃至第９の形態のいずれか１の形態に係る圧電振動片と、基板と、を備え、前記マウント部の前記他方の主面側に設けられている引出電極と前記基板とは、導電性接着剤により接続され、前記マウント部の反対面側の面に設けられている引出電極と前記基板とはワイヤーを介して接続されていることを特徴とする。
第１の形態に係る電子デバイスは、第１の形態乃至第９の形態のいずれか１の形態に係る圧電振動片と、基板と、を備え、前記マウント部の前記他方の主面側に設けられている引出電極と前記基板とは、導電性接着剤により接続され、前記マウント部の反対面側の面に設けられている引出電極と前記基板とはワイヤーを介して接続され、少なくとも一以上の電子部品を備えてなることを特徴とする。
第２の形態に係る電子デバイスは、第１の形態に係る電子デバイスにおいて、前記電子部品が、サーミスタ、コンデンサ、リアクタンス素子、半導体素子のうちのいずれかであることを特徴とする。
［適用例１］圧電基板の一方の主面から、前記主面とは反対側の他方の主面に向けて凹陥した第１の凹陥部と、前記第１の凹陥部の底部に配置された振動部と、前記振動部の外周縁と一体的に接続され前記振動部の厚みより厚い厚肉部と、を備える圧電振動片であって、前記厚肉部に接続され、基板上で一点支持されるマウント部を有し、前記圧電基板の他方の主面から、前記第１の凹陥部の底部に向けて凹陥した第２の凹陥部を設け、前記振動部は、前記第１、第２の凹陥部の底部により構成され、前記振動部と前記厚肉部との境界には、前記圧電基板の両主面共に、前記厚肉部の厚み方向に段差を有していることを特徴とする圧電振動片。